(57)【要約】【課題】前上り屋根片持ち状簡易建物と前下り屋根片持状簡易建物との何れの簡易建物を組立てる場合でも、共通の柱と屋根体固定具と屋根体（雨樋を含む）を用いて組立てることができる片持ち状簡易建物の組立て方法を提供する。【解決手段】本発明において、梁は、屋根体の梁先端側が徐々に高くなる前上り屋根用梁７と、屋根体９の梁支柱側が徐々に高くなる前下り屋根用梁８とがあり、前下り屋根用梁８の上面の長手方向には、前上り屋根用梁７の固定孔と異なる位置に屋根体固定具１１の固定孔１５が設けてあり、屋根体固定具１１は夫々高さが異なり且つ梁の固定孔１５に固定するものであり、前下り屋根片持ち状簡易建物１を組立てるときには、柱５に前下り屋根用梁８を固定すると共に屋根体固定具１１を、前上り屋根片持ち状簡易建物３とは梁８の長手方向に対する位置及び向きを逆にして梁８の固定孔１５に固定し、雨樋１３を梁８の先端側にして屋根体９を屋根体固定具１１に固定する。【選択図】図１
2009228406.tif 000002
【特許請求の範囲】
【請求項１】
柱と、梁と、屋根体と、複数の屋根体固定具とからなる片持ち状簡易建物の組立方法であって、梁は、屋根体の梁先端側が徐々に高くなる前上り屋根用梁と、屋根体の梁支柱側が徐々に高くなる前下り屋根用梁とがあり、前上り屋根用梁及び前下り屋根用梁の上面には、各々長手方向に間隔をあけて屋根体固定具の固定孔が設けてあり、屋根体は梁の長手方向に沿って傾斜するものであると共に傾斜方向下側に雨樋を有し、屋根体固定具は夫々高さが異なり且つ梁の固定孔に固定するものであり、前上り屋根片持ち状簡易建物を組立てるときには、柱に前上り屋根用梁を固定すると共に梁の固定孔に屋根体固定具を固定し、雨樋を梁の柱側にして屋根体を屋根体固定具に固定し、前下り屋根片持ち状簡易建物を組立てるときには、柱に前下り屋根用梁を固定すると共に屋根体固定具を前上り屋根片持ち状簡易建物とは梁の長手方向に対する位置及び向きを逆にして梁の固定孔に固定し、雨樋を梁の先端側にして屋根体を屋根体固定具に固定することを特徴とする片持ち状簡易建物の組立て方法。
【請求項２】
前下り屋根用梁と前上り屋根用梁は同じ長さであることを特徴とする請求項１に記載の片持ち状簡易建物の組立て方法。
【請求項３】
屋根体固定具は、屋根体の傾斜方向上側に設ける上側屋根体固定具と、屋根体の傾斜方向下側に設ける下側屋根体固定具と、上側屋根体固定具と下側屋根体固定具との間に設ける複数の中間屋根体固定具とを備え、隣合う中間屋根体固定具の各固定孔間の寸法が同じにしてあることを特徴とする請求項１に記載の片持ち状簡易建物の組立て方法。
【発明の詳細な説明】
【技術分野】
【０００１】
本発明は、カーポート等の片持ち状簡易建物の組立て方法に関する。
【背景技術】
【０００２】
特許文献１には、屋根の梁先側を上げて屋根を傾斜させた前上り屋根片持ち状簡易建物が開示されており、この前上り屋根片持ち状簡易建物は、柱と、梁と、屋根体固定具と、屋根体とで組立てている。屋根体には傾斜方向下側に雨樋が設けてあり、一般に、前上り屋根片持ち状簡易建物では、屋根体は雨樋を梁の柱側にして梁に固定している。
一方、前上り屋根片持ち状簡易建物を施工すると屋根の後側で隣接する建物等が雨樋と干渉するような場合には、屋根の梁先側を下げて傾斜させ且つ雨樋を屋根体の梁先側に設けるようにした前下り屋根片持ち状簡易建物が公知である。
【０００３】
【特許文献１】特開２０００−１１０２９１号公報
【発明の開示】
【発明が解決しようとする課題】
【０００４】
しかし、前上り屋根片持ち状簡易建物と前下り屋根片持ち状簡易建物との何れも組立てることができるようにする場合には、前上り屋根片持ち状簡易建物と前下り屋根片持ち状簡易建物とでは、屋根体の傾斜方向が梁先側と柱側とで逆になるので、屋根体に取付ける雨樋は屋根体の梁先側に取付けるものと柱側に取付けるものとの別のものが必要になり、複数の屋根体固定具は異なる高さで且つ屋根の異なる傾斜方向に対応する形状のものが必要になり、屋根体固定具を固定する梁も屋根体固定具の固定位置を変えた別種のものが必要になり、梁の種類が異なれば柱もそれに合わせて別種類のものに変えていた。
即ち、前上り屋根片持ち状簡易建物と前下り屋根片持ち状簡易建物とに応じて異なる種類の柱と梁と屋根体固定具と屋根体を用意する必要があり且つ屋根体に設ける雨樋も異なる種類のものを用意する必要があり、部品種類が多くなり、コスト高になるという問題があった。
【０００５】
そこで、本発明は、前上り屋根片持ち状簡易建物と前下り屋根片持状簡易建物との何れの簡易建物を組立てる場合でも、共通の柱と屋根体固定具と屋根体（雨樋を含む）を用いて組立てることができる片持ち状簡易建物の組立て方法の提供を目的とする。
【課題を解決するための手段】
【０００６】
請求項１に記載の発明は、柱と、梁と、屋根体と、複数の屋根体固定具とからなる片持ち状簡易建物の組立方法であって、梁は、屋根体の梁先端側が徐々に高くなる前上り屋根用梁と、屋根体の梁支柱側が徐々に高くなる前下り屋根用梁とがあり、前上り屋根用梁及び前下り屋根用梁の上面には、各々長手方向に間隔をあけて屋根体固定具の固定孔が設けてあり、屋根体は梁の長手方向に沿って傾斜するものであると共に傾斜方向下側に雨樋を有し、屋根体固定具は夫々高さが異なり且つ梁の固定孔に固定するものであり、前上り屋根片持ち状簡易建物を組立てるときには、柱に前上り屋根用梁を固定すると共に梁の固定孔に屋根体固定具を固定し、雨樋を梁の柱側にして屋根体を屋根体固定具に固定し、前下り屋根片持ち状簡易建物を組立てるときには、柱に前下り屋根用梁を固定すると共に屋根体固定具を前上り屋根片持ち状簡易建物とは梁の長手方向に対する位置及び向きを逆にして梁の固定孔に固定し、雨樋を梁の先端側にして屋根体を屋根体固定具に固定することを特徴とする。
【０００７】
請求項２に記載の発明は、請求項１に記載の発明において、前下り屋根用梁と前上り屋根用梁は同じ長さであることを特徴とする。
【０００８】
請求項３に記載の発明は、請求項１に記載の発明において、屋根体固定具は、屋根体の傾斜方向上側に設ける上側屋根体固定具と、屋根体の傾斜方向下側に設ける下側屋根体固定具と、上側屋根体固定具と下側屋根体固定具との間に設ける複数の中間屋根体固定具とを備え、隣合う中間屋根体固定具の各固定孔間の寸法が同じにしてあることを特徴とする。
【発明の効果】
【０００９】
請求項１に記載の発明によれば、前上り屋根片持ち状簡易建物と前下り屋根片持ち状簡易建物との何れの片持ち状簡易建物を組立てる場合にも、共通の柱と屋根体固定具と屋根体（雨樋を含む）を用いることができるので、部品種類を少なくでき、製品コストを安価にできる。
前上り屋根用梁と前下り屋根用梁の上面に屋根体固定具の固定孔が設けてあり、屋根体を前上り屋根用梁と前下り屋根用梁の上に取付ける構成であるから、前上り屋根用梁と前下り屋根用梁の長さが屋根体の前後方向の長さよりも長く且つ屋根体を柱よりも前側に取付ける場合（延長梁）であっても、屋根体及び屋根体固定具に同種類のものを用いて組立てでき、且つ各梁の所定位置に屋根体固定具の固定孔を形成することにより容易に対応することができる。
【００１０】
請求項２に記載の発明によれば、請求項１に記載の効果を奏すると共に、前上り屋根用梁と前下り屋根用梁とは長さが同じであるから、同じ長さに切断した梁材を用いて梁を製造できるので、梁の製造が容易で且つ梁の製造コストを安価にできる。
【００１１】
請求項３に記載の発明によれば、請求項１に記載の効果を奏すると共に、前上り屋根用梁と前下り屋根用梁とで、少なくとも中間屋根体固定具の固定孔の位置を同じにできるので、固定孔の形成が容易にできる。
【発明を実施するための最良の形態】
【００１２】
以下に、添付図面を参照して本発明の実施の形態を説明するが、先ず、図１〜図４を参照して第１実施の形態を説明する。図１は本発明の第１実施の形態に係る前下り屋根片持ち状簡易建物であり、図３に示す前下り屋根片持ち状簡易建物を梁間で梁と平行に切断して示す縦断面図であり、図２は本発明の第１実施の形態に係る前上り屋根片持ち状簡易建物であり、図４に示す前上り屋根片持ち状簡易建物を梁間で梁と平行に切断して示す縦断面図であり、図３は前下り屋根片持ち状簡易建物の側面図であり、図４は前上り屋根片持ち状簡易建物の側面図である。
第１実施の形態に係る片持ち状簡易建物は、カーポートであり、図３に示すカーポートが前下り屋根片持ち状簡易建物１であり、図４に示すカーポートが前上り屋根片持状簡易建物３である。
先ず、図２及び図４を参照して、前上り屋根片持ち状簡易建物３について説明する。前上り屋根片持ち状簡易建物３は、柱５と、前上り屋根用梁７と、屋根体９と、複数の屋根体固定具１１とを備えている。
柱５は地面に垂直に立設してあり、前上り屋根用梁７は、略水平にして柱５の上端に固定してあるが、本実施の形態では、梁先側を水平に対して約１度上にして取付けてある。
図２に示すように、前上り屋根用梁７の上面には、梁７の長手方向に所定間隔をあけて固定孔（ねじ孔）１５が形成されており、この固定孔１５に止めるねじ１７で屋根体固定具１１を前上り屋根用梁７に固定してある。
屋根体９は、屋根枠１９と、パネル２１とを備えており、屋根枠１９は、左右の側枠２３と、屋根体９の傾斜方向上側に設けた上側枠２５と、傾斜方向下側に設けた下側枠２７とを有し、下側枠２７には雨樋１３が一体に設けてある。上側枠２５と下側枠２７との間では、屋根枠１９の下に野縁２０が固定されている。屋根体９は、梁先側を梁７に対して約３度上に傾斜して徐々に高くなるように取付けてある。従って、本実施の形態では、前述したように前上り屋根用梁７は梁先側を水平に対して１度上に傾斜しているので、屋根体９は、水平に対して４度傾斜していることになる。
屋根体固定具１１は、本実施の形態では束であり、前上り屋根用梁７の上面に設けられている固定孔１５にねじ１７で各々固定してある。
屋根体９の傾斜方向下側にある下側屋根体固定具１１ａ（１１）は梁７の後側に固定してあり、屋根体９の傾斜方向上側にある上側屋根体固定具１１ｂ（１１）は梁７の梁先側に固定してあり、傾斜方向下側にある屋根体固定具１１ａ（１１）と上側にある屋根体固定具１１ｂ（１１）との間には、屋根体９の傾斜に沿って徐々に高さを変えた中間屋根体固定具１１ｃ（１１）が固定してある。
中間屋根体固定具１１ｃは、その梁先側にねじ１７の挿通孔１２が設けてあり、下側の屋根体固定具１１ａはその梁先側で前上り屋根用梁７に固定してある。
上側屋根体固定具１１ｂは上端を前上り屋根用梁７の梁先側に傾斜して固定されている。
また、中間屋根体固定具１１ｃの上面には野縁２０の取付片２０ａが重ねて配置されており、野縁２０は、前上り屋根用梁１７に固定するねじ１７で屋根体固定具１１の上面に固定されている。
前上り屋根片持ち状簡易建物３では、上側屋根体固定具１１ｂは上端を前側に傾斜しており且つ前上り屋根用梁７の先端と前面を面一にしているので、屋根体９の上側枠２５は前上り屋根用梁７の先端よりも前側に突出している。
尚、図４に示すように、前上り屋根用梁７の梁先には、サポート３１が取外し自在に設けてあり、使用しないときには支柱５に取付けておくようになっている。
【００１３】
次に、図１及び図３を参照して、前下り屋根片持ち状簡易建物１について説明するが、上述した前上り屋根片持ち状簡易建物３と共通して用いる部品には同一の符号を付することにより、その部分の詳細な説明を省略し、前上り屋根片持ち状簡易建物３と主に異なる点を説明する。尚、図１では、図２において二点鎖線で示す左右の側枠２３省略して示している。
前下り屋根片持ち状簡易建物１には、前下り屋根用梁８が用いられており、前上り屋根用梁７と同様に傾斜角度約１度で支柱５に固定されている。
前下り屋根用梁８の上面には、屋根体固定具１１の固定孔１５が、前上り屋根用梁７と異なる位置に設けてある。
屋根体固定具１１については、図１に示すように、下側屋根体固定具１１ａは前下り屋根用梁８の梁先側に固定してあり、上側屋根体固定具１１ｂは前下り屋根用梁８の後側に固定してある。即ち、これらの下側屋根体固定具１１ａ及び上側屋根体固定具１１ｂは前上り屋根片持ち状簡易建物３とは、梁の長手方向の位置及び向きを逆に変えて前下り屋根用梁８の固定孔１５に固定してある。
中間屋根体固定具１１ｃも前上り屋根片持ち状簡易建物３とは梁の長手方向の位置及び向きを変えて前下り屋根用梁８の固定孔１５固定してあり、前下り屋根用梁８には、屋根体固定具１１のねじ挿通１２が一致する位置に固定孔１５が設けてある。
屋根体９は、前上り屋根片持ち状簡易建物３に対して梁の長手方向の向きを逆にして固定してあり、下側枠２７を前下り屋根用梁８の梁先側にし、上側枠２５を前下り屋根用梁８の柱５側にして屋根体固定具１１に固定してある。下側枠２７に一体に設けてある雨樋１３は前下り屋根用梁８の梁先側に位置している。
前下り屋根片持ち状簡易建物１では、上側屋根体固定具１１ｂは上端を後側に傾斜し、屋根体９の上側枠２５は前上り屋根用梁７の柱側端から突出していない。即ち、屋根体９は前上り屋根用梁７では上側枠２５を梁７よりも突出して設け、前下り屋根用梁８では上側枠２５を梁８から突出しない位置に設けている。
また、屋根体９は、梁８に対して約３度の傾斜角度で梁先側を下にして徐々に傾斜してあるが、前上り屋根用梁８が梁先側を１度上にして傾斜しているので、水平に対しては２度傾斜していることになる。従って、前下り屋根片持ち状簡易建物１では、前上り屋根片持ち状簡易建物３に比較して、屋根体９の傾斜は水平に対して小さくなるから、前下り屋根用梁８が屋根体９を載せる長手方向の寸法が長く必要になるので、その分、前下り屋根用梁８の寸法が、前上り屋根用梁７よりも長くしてある。このように、前下り屋根用梁８の寸法が、前上り屋根用梁７よりも長くしてあるので、各屋根体固定具１１の固定孔１５は、前上り屋根用梁７と前下り屋根用梁８とで異なる位置に設けている。しかし、前上り屋根用梁７と前下り屋根用梁８では、柱側端部の固定孔１５は同じ位置にあり、図１に示すように上側屋根体固定具１１ｂを前下り屋根用梁８の柱側端部に固定する場合や、図２に示すように下側屋根体固定具１１ａを前上り屋根用梁１７に固定する場合にも、各梁７、８の柱側端部では各々の固定具１１ａ、１１ｂを同じ位置に設けた固定孔１５に固定している。
尚、前上り屋根用梁７はその長さＬが２８５６．９ｍｍであり、前下り屋根用梁８は長さＬが２９２９．３ｍｍであり、柱側端から２番目の中間屋根体固定具１１ｃを固定する固定孔１５までの寸法Ｍは、前上り屋根用梁７では６４８．３ｍｍであり、前下り屋根用梁８では６７８ｍｍである。図３に示す前下り屋根片持ち状簡易建物１と図４に示す前上り屋根片持ち状簡易建物３において、隣合う中間屋根体固定具１１ｃの固定孔１５間の寸法Ｍ２、Ｍ３、Ｍ４はいずれも同じ寸法で５８４．２ｍｍである。
【００１４】
次に、第１実施の形態に係る片持ち状簡易建物の施工、作用及び効果について説明する。
前上り屋根片持ち状簡易建物３を組立てるときには、図２に示すように、柱５に、前上り屋根用梁７を固定し、前上り屋根用梁７の固定孔１５に各屋根体固定具１１を固定する。屋根体固定具１１の固定は、下側屋根体固定具１１ａを前上り屋根用梁７の後側に配置して、その梁先側をねじ１７で梁７に設けてある固定孔１５に固定し、上側屋根体固定具１１ｂは梁７の梁先側に配置してねじ１７で前上り屋根用梁７の固定孔１５に固定する。同様にして、中間屋根体固定具１１ｃも前上り屋根用梁７の固定孔１５にねじ１７で固定するが、中間屋根体固定具１１の上端には野縁２０の取付片２０ａを重ねて同じねじ１７で同時に固定する。
次に、上側屋根体固定具１１ｂに上側枠２５を固定し、下側屋根体固定具１１ａに雨樋１３を有する下側枠２７を固定し、中間屋根体固定具１１ｃに固定してある野縁２０に側枠２３を固定して、屋根枠内にパネル２１を取付ける。
【００１５】
前下り屋根片持ち状簡易建物１を組立てるときには、図１に示すように、柱５に前下り屋根用梁８を固定し、各屋根体固定具１１を、前上り屋根片持ち状簡易建物３のときとは梁先側と柱側の間における位置と向きを逆にして固定する。即ち、下側屋根体固定具１１ａは前下り屋根用梁８の梁先側で固定孔１５にねじ１７で固定し、上側屋根体固定具１１ｂは前下り屋根用梁８の後側で固定孔１５にねじ１７固定して、中間屋根体固定具１１ｃは、前上り屋根片持ち状簡易建物３のときとは梁の長手方向の位置と向きを変えて前下り屋根用梁８の固定孔１５にねじ１７で野縁２０の取付片２０ａと共に固定する。
屋根体９は、前上り屋根片持ち状簡易建物３のときとは梁先の長手方向の向きを変えて屋根体固定具１１の上に固定するが、組立て手順は、上側屋根体固定具１１ｂに上側枠２５を固定し、下側屋根体固定具１１ａに雨樋１３を有する下側枠２７を固定し、中間屋根体固定具１１ｃに固定してある野縁２０に側枠２３を固定して、屋根枠９内にパネル２１を取付ける。
【００１６】
第１実施の形態によれば、前上り屋根片持ち状簡易建物３と前下り屋根片持状簡易建物１との何れの簡易建物を組立てる場合にも、共通の柱５と屋根体固定具１１と屋根体９（雨樋１３を含む）を用いることができるので、部品種類を少なくでき、製品コストを安価にできる。
また、梁７、８以外は、共通の部品を使用できるので部品の取り扱いが同じであり、施工し易い。
前上り屋根片持ち状簡易建物３と前下り屋根片持状簡易建物１とでは、いずれも梁７、８は先端側を上に傾斜して取り付けてあるが、前下り屋根用梁７の長さを前上り屋根用梁８の長さよりも長くすることにより、前上り屋根片持ち状簡易建物１と前下り屋根片持ち状簡易建物３とで、梁７、８に対する屋根体９の納まり長さを同様にすることができ、屋根体の傾斜方向が異なるだけで外観を同じにすることができる。
前上り屋根用梁７と前下り屋根用梁８とで、少なくとも中間屋根体固定具１１ｃの固定孔１５間の寸法Ｍ２どうしを同じにし、同様に各寸法Ｍ３、Ｍ４どうしも同じ寸法にしているので、固定孔の位置を同じにできるから、梁７、８の製造が容易である。更に、本実施の形態では、Ｍ２とＭ３とＭ４も同じ寸法にしているので、固定孔をあける位置の位置決めがし易く更に固定孔が形成しやすい。
【００１７】
次に、本発明の他の実施の形態について説明するが、以下に説明する他の実施の形態において、上述した第１実施の形態と同一の作用効果を奏する部分には同一の符号を付することによりその部分の詳細な説明を省略し、以下の説明では第１実施の形態と主に異なる点を説明する。
図５及び図６を参照して第２実施の形態を説明する。図５は第２実施の形態に係る前下り屋根用片持ち状簡易建物の側面図であり、図６は第２実施の形態に係る前上り屋根用片持ち状簡易建物の側面図である。この第２実施の形態では、前下り屋根用梁８と前上り屋根用梁７との長さＬが同じ寸法になっている点が第１実施の形態と異なっている。尚、第２実施の形態では、長さＬは共に２５５６．８ｍｍである。
また、前下り屋根用梁８と前上り屋根用梁７において、柱側端から最も近くにある中間屋根体固定具１１ｃを固定する固定孔１５の柱側端からの寸法Ｍ１は同じ寸法であり、同様に中間屋根体固定具１１ｃの隣り合う固定孔１５間の寸法Ｍ２、Ｍ３も各々同じ寸法になっている。尚、本実施の形態では、Ｍ１は７１６ｍｍであり、Ｍ２及びＭ３は共に６５２ｍｍである。
前下り屋根用梁８の下側固定具１１ａの固定孔１５の梁先からの寸法Ｍ６と、前上り屋根用梁７の上側固定具１１ｂの固定孔１５の梁先からの寸法Ｍ６は異なる寸法になっている。また、前下り屋根用梁８の下側固定具１１ａの固定孔１５の柱側端からの寸法Ｍ５と、前上り屋根用梁７の下側固定具１１ａの固定孔１５の柱側端からの寸法Ｍ５は異なる寸法になっている。
【００１８】
この第２実施の形態では、前上り屋根用梁７の長さが前下り屋根用梁８の長さよりも長い点を除いて上述した第１実施の形態と同様な効果を奏することができると共に、この実施の形態では前上り屋根用梁７と前下り屋根用梁８との長さが同じであるから、同じ長さに切断した梁材を用いて所定位置に固定孔１５を形成することにより各梁７、８を製造できるので、梁７、８の製造が容易で且つ梁７、８の製造コストを安価にできる。
【００１９】
図７及び図８を参照して第３実施の形態を説明する。図７は第３実施の形態に係る前下り屋根用片持ち状簡易建物の側面図であり、図８は第３実施の形態に係る前上り屋根用片持ち状簡易建物の側面図である。この第３実施の形態では、第２実施の形態と同様に前下り用梁８と前上り用梁７の長さＬが同じ寸法になっていると共に、各梁７、８の長さＬが屋根９の前後方向の長さよりも長く（延長梁）且つ屋根９を柱５よりも前側に取付けている。即ち、図７に示すように、前下り屋根用片持ち状簡易建物１では屋根体９の上側枠２５が柱５よりも前側に位置し、図８に示すように、前上り屋根用片持ち状簡易建物３では屋根体９の雨樋１３が柱５よりも前側に位置している。尚、第３実施の形態では、前上り用梁７と前下り用梁８との長さＬは共に２８５６．９ｍｍあり、Ｍ１は１０１６．１ｍｍであり、Ｍ２及びＭ３は共に６５２ｍｍである。
【００２０】
この第３実施の形態では、上述した第２実施の形態と同様な効果を奏することができると共に、屋根９は柱５よりも前側に取付けているので柱５側に隣家の建物や敷地がある場合に隣家への雨跳ねを防止できる。
【００２１】
上述した第１〜第３実施の形態では、前上り屋根用梁７と前下り屋根用梁８の上面に屋根体固定具１１の固定孔１５が設けてあり、屋根体９を梁７、８の上に取付ける構成であるから、第１実施の形態のように前上り屋根用梁７と前下り屋根用梁８とで梁の長さが異なる場合や、第２実施の形態のように前上り屋根用梁７と前下り屋根用梁８とで梁の長さが同じ場合や、更には第３実施の形態のように、屋根用梁７と前下り屋根用梁８の長さが屋根９の前後方向の長さよりも長く且つ屋根体を柱よりも前側に取付ける場合であっても、屋根体９及び屋根体固定具１１に同種類のものを用いて組立てでき、且つ各梁７、８の所定位置に屋根体固定具１１の固定孔１５を形成することにより容易に対応することができる。
【００２２】
本発明は、上述した実施の形態に限らず、本発明の要旨を逸脱しない範囲で種々変形可能である。
例えば、片持ち状簡易建物１、３はカーポートに限らず、テラスや通路シェルタ等であってもよい。
片持ち状簡易建物１、３が、大型のものであるときには、屋根体９は、屋根枠１９とパネル２１とを組立てたものを、クレーン等で吊り下げて屋根体固定具１１の上に載せて固定するものであっても良い。
固定孔１５はねじ孔に限らず、ボルトやその他の固定部を取付ける為の孔であっても良い。
第２及び第３実施の形態において、前下り用梁８と前上り用梁７は、下側屋根体固定具１１ａの固定孔１５の梁の端からの位置を同じにして（各Ｍ５どうしを同じ寸法にし且つ各Ｍ６どうしも同じ寸法にする）、前下り用梁８と前上り用梁７とで、全ての屋根体固定具１１の固定孔１５の位置（各寸法Ｍ１〜Ｍ６どうし）を同じにして、前下り片持ち状簡易建物１と前上り片持ち状簡易建物３とで、梁７、８を共通に使用できるようにしても良い。
【図面の簡単な説明】
【００２３】
【図１】第１実施の形態に係る前下り屋根片持ち状簡易建物であり、図３に示す前下り屋根片持ち状簡易建物を梁間で梁と平行に切断して示す縦断面図である。
【図２】第１実施の形態に係る前上り屋根片持ち状簡易建物であり、図４に示す前上り屋根片持ち状簡易建物を梁間で梁と平行に切断して示す縦断面図である。
【図３】第１実施の形態に係る前下り屋根片持ち状簡易建物の側面図である。
【図４】第１実施の形態に係る前上り屋根片持ち状簡易建物の側面図である。
【図５】第２実施の形態に係る前下り屋根片持ち状簡易建物の側面図である。
【図６】第２実施の形態に係る前上り屋根片持ち状簡易建物の側面図である。
【図７】第３実施の形態に係る前下り屋根片持ち状簡易建物の側面図である。
【図８】第３実施の形態に係る前上り屋根片持ち状簡易建物の側面図である。
【符号の説明】
【００２４】
１      前下り屋根片持ち状簡易建物
３      前上り屋根片持ち状簡易建物
５      柱
７      前上り屋根用梁
８      前下り屋根用梁
９      屋根体
１１    屋根体固定具
１３    雨樋
１５    固定孔
【図１】
2009228406.tif 000003
【図２】
2009228406.tif 000004
【図３】
2009228406.tif 000005
【図４】
2009228406.tif 000006
【図５】
2009228406.tif 000007
【図６】
2009228406.tif 000008
【図７】
2009228406.tif 000009
【図８】
2009228406.tif 000010